【事件の表示】
　特願２００２−１８３００７号「吸入装置」拒絶査定不服審判事件〔平成１５年１月２８日出願公開、特開２００３−２４４４３号〕について、次のとおり審決する。
【結　論】
　本件審判の請求は、成り立たない。
【理　由】
１．手続の経緯
　
　本願は、平成１４年６月２４日（パリ条約による優先権主張　２００１年６月２８日、イタリア国）の出願であって、平成１７年１１月２日付けで拒絶査定がなされ、これに対し平成１８年２月６日に拒絶査定不服審判の請求がなされるとともに、同年３月３日付けで手続補正がなされたものである。
　
２．平成１８年３月３日付け手続補正についての補正却下の決定
　
［補正却下の決定の結論］
　
　平成１８年３月３日付け手続補正（以下、「本件補正」という。）を却下する。
　
［理由］
　
（１）補正後の本願発明
　
　本件補正により、特許請求の範囲の請求項１は以下のように補正された。
「吸入すべき物質を含むカプセルを中に保持するための凹所を画定する吸入器本体と、前記凹所と連通するノーズピースと、前記吸入本体に関連付けられ、前記ノーズピースを通して吸入させるために前記カプセルを穿孔して、外部空気流を前記カプセルの中身と混合させるように適応された、対向する２つの穿孔手段とを備え、前記ノーズピースが前記吸入器本体に対して可動であり、少なくとも２つの動作状態、すなわち前記カプセル用凹所に接近して、その中に新しいカプセルを係合することのできる開いた状態、および前記吸入器ノーズピースをスナップ固着することのできる閉じた使用状態、を提供する吸入装置であって、
前記２つの穿孔手段のそれぞれが唯１つの穿孔針を有しており、この穿孔針が、この穿孔針を取り囲む唯１つのコイルばねの付勢力に対向して横方向に滑動することができると共に、前記吸入器本体と一体に結合されたそれぞれの当接要素と対応して作動する中空押しボタン要素との間で作動するように設計されていて、
前記押しボタン要素のそれぞれが、前記吸入器本体の底部中空部に滑動可能に配置されると共に、手動操作のために前記底部中空部から部分的に突出しており、各穿孔針が皮下注射針のそれに類似した外形を有して傾斜した先端を備え、
前記ノーズピースのフランジにはフック部分が設けられ、前記吸入器本体に形成された係止座内部に形成された対応する突条を有するスナップ固着手段と前記フック部によって、前記吸入器ノーズピースをその閉鎖位置に固着でき
前記吸入器ノーズピースの前記フランジが、前記吸入器本体に形成された穴に係合することのできるペグを含み、
前記穴が前記ペグの横歯を通すことのできる長手方向のスロットを備え、かつ前記穴が前記歯をその中で滑動させることのできる底部環状凹所を備え、それによって前記ペグが前記穴内で回転することができ、前記ノーズピースが前記吸入器本体に対して回転することができることを特徴とする吸入装置。」
　
（２）補正の目的の適否
　
　本件補正は、請求項１に記載された発明を特定するために必要な事項である「ノーズピース」及び「吸入器本体」からなる構造について、「前記ノーズピースのフランジにはフック部分が設けられ、前記吸入器本体に形成された係止座内部に形成された対応する突条を有するスナップ固着手段と前記フック部によって、前記吸入器ノーズピースをその閉鎖位置に固着でき前記吸入器ノーズピースの前記フランジが、前記吸入器本体に形成された穴に係合することのできるペグを含み、前記穴が前記ペグの横歯を通すことのできる長手方向のスロットを備え、かつ前記穴が前記歯をその中で滑動させることのできる底部環状凹所を備え、それによって前記ペグが前記穴内で回転することができ、前記ノーズピースが前記吸入器本体に対して回転することができる」との限定を付加するものであり、かつ、補正後の請求項１に記載された発明は、補正前の請求項１に記載された発明と、産業上の利用分野及び解決しようとする課題が同一であるので、本件補正は特許請求の範囲の減縮を目的とするものに該当する。
　
（３）独立特許要件
　
　そこで、本件補正後の前記請求項１に記載された事項により特定される発明（以下、「本願補正発明」という。）が特許出願の際独立して特許を受けることができるものであるか（平成１８年改正前特許法第１７条の２第５項において準用する同法第１２６条第５項の規定に適合するか）について、以下に検討する。
　
ア．引用例
　原査定の拒絶の理由で引用した特開昭５０−１２５５９５号公報（以下、「引用例」という。）には、図面ととも次の事項が記載されている。
（ア）「本発明は吸入器に関し、特に粉末状薬剤を投与するための吸入器に関する。」（第１ページ左下欄第１５〜１６行）
（イ）「図において、図示の吸入器は本体部分２１と管状部分またはマウスピース２２からなつている。マウスピース２２は拡大基礎端２３を有し、この基礎端２３は本体部分の上面に係合している。マウスピース２２はその基礎部分２３から突出する枢支ピン３によつて本体部分２１に連結される。
　枢支ピン３は本体部分２１の孔１３にはまる。枢支ピン３と孔１３はたがいに一直線に並び、マウスピース２２と本体部分２１の長手方向軸に対して偏心している。枢支ピン３の端には、側方突出部３ａがある。孔１３は側方拡大部１３ａを有し孔１３の下端には拡大セクシヨン１３ｂが形成されている。枢支ピン３の側方突出部３ａはピン３を孔１３に挿入することにより、孔１３の側方部１３ａを通りぬけ、本体部分２１とマウスピース２２の相対的回転によつてこの側方突出部３ａは孔１３の側方部１３ａとの一致から外れて拡大部１３ｂにより形成される孔の端部肩と係合する。側方突出部３ａと側方部分１３ａの位置は次のようになつている。すなわちおのおのの場合、マウスピース２２と本体部２１は、マウスピース２２の基礎部分２３が本体部分２１の上面と一致した位置と、本体部分２１のチヤンバ１０が枢支ピン３の側方突出部３ａを孔１３の側方部１３ａと一致することなく露出する位置との間で、枢支ピン３の孔１３と軸のまわりに相対的に回転できるようになつている」（第２ページ左下欄第２０行〜第３ページ左上欄第５行）
（ウ）「吸入器の本体部分２１は前述したように、チヤンバ１０で形成され、チヤンバ１０の下部壁には第６図に明らかにみられるように従来の薬剤カプセルとほぼ同じ形状を有する細長い凹所９がある。本体部分２１の上面には２つの凹所１２、１２’があり、これらの凹所はチヤンバ１０に切線状に連通している。・・・（略）・・・同様に、凹所１２、１２’はマウスピース２２の基礎部分２３によつて閉じられカプセルチヤンバ１０への空気入口を形成する。・・・（略）・・・このようにマウスピース２２、カプセルチヤンバ１０の吸入通路と空気取入れ口１２、１２’との間に開放連通ができる。」（第３ページ左上欄第１２行〜右上欄第１０行）
（エ）「第３図はマウスピース２２と本体部分２１を閉鎖位置に保持するための適当な形の掛け金装置を示す図である。・・・（略）・・・マウスピース２２の基礎部分２３のＬ字状突出部２は本体部分２１の上部にあるＬ字状凹所２４にはまり、第３図に示す掛け金装置によつてその位置に保持される。掛け金装置は凸に彎曲した端を有するプランジヤ４と、圧縮ばね５と、プラグ６とからなつている。これらの要素は本体部２１の内径２５に収められている。・・・（略）・・・マウスピース２２が掛け金をかけた位置に回転するとき、突出部２は凹所２４中に延びてプランジヤ４を圧縮ばね５の作用に抗して下方に変位させる。ばね５はかくして突出部２を凹所２４内に僅かにひつかける働きをして、吸入器部分２２と２１を共に閉鎖位置に保持する。」（第３ページ右上欄第１１行〜左下欄第１３行）
（オ）「チヤンバ１０の底にあるカプセル凹所９の端と一直線に２個の押しボタン２６が置かれている。これらのボタン２６はカプセル凹所９の方へ内方に突出する４本のとがつた金属ピン１４を担持している。本体部２１は矩形断面のギヤラリ７、７’で形成されている。これらのギヤラリはカプセル凹所９の端と一直線に並ぶ開口８、８’を有している。２個の押しボタン２６は対の肩１５、１５’を有し、これらの肩は本体部分２１の壁に穿けられた開口８、８’の縁におかれ、押しボタン２６のそれぞれの凹所１６、１６’に係合する４つのばねによつてその位置に保持されている。」（第３ページ左下欄第１４行〜右下欄第５行）
（カ）「カプセルが凹所９に位置決めされると、凹所９がカプセル自体よりも僅かに大きいだけであるからカプセルは移動を阻止されて、とがつた金属ピン１４はカプセルの２７の端に貫通して孔あけし、押しボタン２６が弛められたあとは粉末薬剤がこれらの孔を通つて外に出ることが許される。
　吸入器の作動に当つて、マウスピース２２と本体部分２１は枢支ピン３のまわりに相対的に回転してチヤンバ１０を露出し、カプセルはカプセル凹所９中に落下する。次にマウスピース２２と本体部２１は突出部２が凹所２４に入りプランジヤ４によつてその位置にラツチされるまで閉じられる。押しボタン２６は一つずつかまたは共に押し下げられてカプセル凹所９内のカプセルの両端を穿孔する。すると粉末状薬剤は口か鼻のいずれかに入れられるマウスピース２２を通つて吸入させるだけで簡単に投与することができる。吸入によつて入口１２、１２’に急速に空気が流入することは・・・（略）・・・これはカプセル内から粉末薬剤をカプセルの両端にあけた孔より吸い出させる。この吸い出しはカプセル自体の旋回運動によつて助けられ、粉末は格子１を通つてマウスピース２２の吸入通路にそうて流れる空気に伴なわれて流れる。」（第３ページ右下欄第１１行〜第４ページ右上欄第３行）
　
　上記記載事項（ウ）、（カ）によれば、凹所９は、吸入器に画定されるとともに、カプセルを中に保持し、マウスピース２２と連通するものであることは明らかといえる。
　また、図１１には、金属ピン１４を有する２つの押しボタン２６が対向して設けられている様子が図示されており、この金属ピン１４及び押しボタン２６からなる２つの構成を各々穿孔手段と称することができる。そして、上記記載事項（オ）、（カ）をも参酌すれば、上記穿孔手段は、本体部分２１に関連付けられ、マウスピース２２を通して吸入させるためにカプセルを穿孔して、外部空気流を前記カプセルの中身と混合させるように適応されたものであることは明らかである。
　また、上記記載事項（カ）をみれば、吸入器は、少なくとも２つの動作状態、すなわちチヤンバ１０を露出し、カプセルを凹所９に落下させる状態、およびマウスピース２２と本体部２１がラツチされ閉じられる使用状態、を提供するものといえる。
　また、図８〜１１には、４本の金属ピン１４を取り囲むように４つのコイルばねが配置されている様子、押しボタン２６のそれぞれがギヤラリ７、７’から部分的に突出している様子、及び、各金属ピン１４が先端を備えた様子がそれぞれ図示されており、上記記載事項（オ）、（カ）を併せみれば、上記金属ピン１４は上記コイルばねの付勢力に対向して横方向に滑動することができると共に、本体部分２１と一体に結合されたそれぞれの当接要素と対応して作動する凹所１６を有する押しボタン２６との間で作動するように設計されていること、押しボタン２６のそれぞれは本体部分２１のギヤラリ７、７’に滑動可能に配置されていること、上記押しボタン２６の本体部分２１からの突出は手動操作のためであることは、いずれも明らかといえる。
　さらに、図１には、マウスピース２２の基礎部分２３の下部がフランジ状に形成され、その部分に突出部２及び枢支ピン３が設けられた様子が示されるとともに、図６には、孔１３に長手方向の側方拡大部１３ａが備えられている点が図示されている。
　そして、上記記載事項（イ）をみれば、孔１３に備えられた拡大部１３ｂは、枢支ピン３の側方突出部３ａを孔１３の中で滑動させることのできるものであり、それによって枢支ピン３が孔１３内で回転することができ、マウスピース２２が本体部分２１に対して回転することができることは明らかといえる。
　
　上記記載事項及び図示内容を総合し、同一符号が付された用語を統一して整理すると、引用例には次の発明（以下、「引用発明」という。）が記載されているものと認められる。
「粉末薬剤を含むカプセルを中に保持するための凹所９を画定する本体部分２１と、前記凹所９と連通するマウスピース２２と、前記本体部分２１に関連付けられ、前記マウスピース２２を通して吸入させるために前記カプセルを穿孔して、外部空気流を前記カプセルの中身と混合させるように適応された、対向する２つの穿孔手段とを備え、前記マウスピース２２が前記本体部分２１に対して相対的に回転できるようになっており、少なくとも２つの動作状態、すなわちチヤンバ１０を露出し、カプセルを凹所９に落下させる状態、およびマウスピース２２と本体部２１がラツチされ閉じられる使用状態、を提供する吸入器であって、
前記２つの穿孔手段のそれぞれが４本の金属ピン１４を有しており、この４本の金属ピン１４が、この金属ピン１４を取り囲む４つのコイルばねの付勢力に対向して横方向に滑動することができると共に、本体部分２１と一体に結合されたそれぞれの当接要素と対応して作動する凹所１６を有する押しボタン２６との間で作動するように設計されていて、
前記押しボタン２６のそれぞれが、前記本体部分２１のギヤラリ７、７’に滑動可能に配置されると共に、手動操作のために前記ギヤラリ７、７’から部分的に突出しており、各金属ピン１４が先端を備え、
前記マウスピース２２のフランジには突出部２が設けられ、該突出部２が前記本体部分２１の凹所２４に入り、該本体部分２１の内径２５に収められた掛け金装置によって前記突出部２がラツチされることにより前記マウスピース２２を閉鎖位置に保持し
前記マウスピース２２の前記フランジが、前記本体部分２１に形成された孔１３に係合することのできる枢支ピン３を含み、
前記孔１３が前記枢支ピン３の側方突出部３ａを通すことのできる長手方向の側方拡大部１３ａを備え、かつ前記孔１３が前記側方突出部３ａをその中で滑動させることのできる拡大部１３ｂを備え、それによって枢支ピン３が孔１３内で回転することができ、マウスピース２２が本体部分２１に対して回転することができる吸入器。」
　
イ．対比
　本願補正発明と引用発明とを対比すると、後者の「粉末薬剤」、「凹所９」、「本体部分２１」、「吸入器」は、その機能または構成からみて、それぞれ、前者の「吸入すべき物質」、「凹所」、「吸入器本体」或いは「吸入本体」、「吸入装置」に相当し、後者の「マウスピース２２」は、上記記載事項（カ）を参照すれば、鼻にも入れられるものであるから、前者の「ノーズピース」或いは「吸入器ノーズピース」に相当するものといえる。
　したがって、後者において「前記マウスピース２２が前記本体部分２１に対して相対的に回転できる」ことは、前者において「前記ノーズピースが前記吸入器本体に対して可動」であることに相当するといえ、さらに、上記記載事項（ウ）を参照すれば、後者の「凹所９」はチヤンバ１０の下部壁に位置するものであるから、後者における「チヤンバ１０を露出し、カプセルを凹所９に落下させる状態、およびマウスピース２２と本体部２１がラツチされ閉じられる使用状態」と、前者における「前記カプセル用凹所に接近して、その中に新しいカプセルを係合することのできる開いた状態、および前記吸入器ノーズピースをスナップ固着することのできる閉じた使用状態」とは、その構成や作用に照らせば、「前記カプセル用凹所に接近して、その中に新しいカプセルを係合することのできる開いた状態、および前記吸入器ノーズピースを係止することのできる閉じた使用状態」という概念で共通している。
　また、後者の「金属ピン１４」、「凹所１６を有する押しボタン２６」、「ギヤラリ７、７’」、「孔１３」、「枢支ピン３」、「側方突出部３ａ」、「側方拡大部１３ａ」、「拡大部１３ｂ」は、その機能や構成に照らせば、それぞれ、前者の「穿孔針」、「中空押しボタン要素」、「底部中空部」、「穴」、「ペグ」、「横歯」、「スロット」、「底部環状凹所」に相当する。
　そして、上述した対比事項を踏まえれば、後者において「前記マウスピース２２のフランジには突出部２が設けられ、該突出部２が前記本体部分２１の凹所２４に入り、該本体部分２１の内径２５に収められた掛け金装置によって前記突出部２がラツチされることにより前記マウスピース２２を閉鎖位置に保持」することと、前者において「前記ノーズピースのフランジにはフック部分が設けられ、前記吸入器本体に形成された係止座内部に形成された対応する突条を有するスナップ固着手段と前記フック部によって、前記吸入器ノーズピースをその閉鎖位置に固着でき」ることとは、「前記ノーズピースのフランジには凸部分が設けられ、前記吸入器本体に形成された係止部材と前記凸部分によって、前記吸入器ノーズピースをその閉鎖位置に係止でき」るという点で共通しているといえる。
　
　よって、両者は次の点で一致する。
「吸入すべき物質を含むカプセルを中に保持するための凹所を画定する吸入器本体と、前記凹所と連通するノーズピースと、前記吸入本体に関連付けられ、前記ノーズピースを通して吸入させるために前記カプセルを穿孔して、外部空気流を前記カプセルの中身と混合させるように適応された、対向する２つの穿孔手段とを備え、前記ノーズピースが前記吸入器本体に対して可動であり、少なくとも２つの動作状態、すなわち前記カプセル用凹所に接近して、その中に新しいカプセルを係合することのできる開いた状態、および前記吸入器ノーズピースを係止することのできる閉じた使用状態、を提供する吸入装置であって、前記２つの穿孔手段のそれぞれが穿孔針を有しており、この穿孔針が、この穿孔針を取り囲むコイルばねの付勢力に対向して横方向に滑動することができると共に、前記吸入器本体と一体に結合されたそれぞれの当接要素と対応して作動する中空押しボタン要素との間で作動するように設計されていて、
前記押しボタン要素のそれぞれが、前記吸入器本体の底部中空部に滑動可能に配置されると共に、手動操作のために前記底部中空部から部分的に突出しており、各穿孔針が先端を備え、
前記ノーズピースのフランジには凸部分が設けられ、前記吸入器本体に形成された係止部材と前記凸部分によって、前記吸入器ノーズピースをその閉鎖位置に係止でき
前記吸入器ノーズピースの前記フランジが、前記吸入器本体に形成された穴に係合することのできるペグを含み、
前記穴が前記ペグの横歯を通すことのできる長手方向のスロットを備え、かつ前記穴が前記歯をその中で滑動させることのできる底部環状凹所を備え、それによって前記ペグが前記穴内で回転することができ、前記ノーズピースが前記吸入器本体に対して回転することができる吸入装置。」
　
　そして、両者は次の点で相違する（カッコ内は対応する引用発明の用語を示す。）。
（相違点１）
　２つの穿孔手段のそれぞれにおいて、本願補正発明では、穿孔針及びコイルばねを唯１つずつ設けられるのに対し、引用発明では、穿孔針（金属ピン１４）及びコイルばねが４つずつ設けられている点。
（相違点２）
　穿孔針について、本願補正発明のものは、皮下注射針のそれに類似した外形を有して傾斜した先端を備えているのに対し、引用発明のものは、そのような先端を備えているか否か明らかではない点。
（相違点３）
　ノーズピースを閉鎖位置或いは閉じた使用状態に係止するための凸部分を含む構成に関し、本願補正発明では、ノーズピースのフランジにはフック部分が設けられ、吸入器本体に形成された係止座内部に形成された対応する突条を有するスナップ固着手段とフック部によって、吸入器ノーズピースをその閉鎖位置に固着しているのに対し、引用発明では、ノーズピース（マウスピース２２）のフランジには突出部２が設けられ、該突出部２が吸入器本体（本体部分２１）の凹所２４に入り、該吸入器本体（本体部分２１）の内径２５に収められた掛け金装置によって前記突出部２がラツチされることにより前記ノーズピース（マウスピース２２）を閉鎖位置に保持している点。
　
ウ．当審の判断
（相違点１）について
　１つの穿孔手段に穿孔針及びコイルばねをそれぞれ幾つ設けるかは、穿孔作業の確実性やその操作性、或いは穿孔されるカプセルとの位置関係等を考慮して、当業者が必要に応じて適宜決定し得る設計的事項にすぎない。
（相違点２）について
　穿刺用の針一般において、その先端を傾斜した形状とすることが、例えば、特開昭５７−２２７６７号公報（特に、第５ページ左上欄第２〜６行を参照）等に開示されるように従来周知の技術であることを考慮すれば、本願補正発明の穿孔針において、皮下注射針のそれに類似した外形を有して傾斜した先端を備えるようにした点は、穿孔の容易性や操作性等を勘案して、当業者が必要に応じて適宜決定し得る設計的事項にすぎないというべきである。
（相違点３）について
　一般に、開閉自在に支持された２つの部材を閉鎖位置に係止する際に、一方の部材に設けたフック部分をもう一方の部材に形成した突条に係止させてスナップ固着させることは、例えば、特開平９−２５３２１０号公報（特に、係合爪１４Ｂ、係合凹部３Ｅを参照）などにも開示されるように周知の技術にすぎないから、該周知技術を引用発明におけるノーズピースの係止にも適用して、上記相違点３に係る本願補正発明の発明特定事項とすることは、当業者であれば容易に想到し得ることである。
　
　そして、本願補正発明が奏する作用効果も、引用発明及び上記周知技術から当業者が予測し得る範囲のものであって、格別なものとはいえない。
　
　したがって、本願補正発明は、引用発明及び上記周知技術に基いて当業者が容易に発明をすることができたものであるから、特許法第２９条第２項の規定により特許出願の際独立して特許を受けることができない。
　
（４）むすび
　
　以上のとおり、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明
　
　本件補正は上記のとおり却下されたので、本願の請求項１に係る発明（以下、「本願発明」という。）は、平成１７年９月５日付けの手続補正書により補正された明細書の、特許請求の範囲の請求項１に記載された事項により特定される次のとおりのものである。
「吸入すべき物質を含むカプセルを中に保持するための凹所を画定する吸入器本体と、前記凹所と連通するノーズピースと、前記吸入器本体に関連付けられ、前記ノーズピースを通して吸入させるために前記カプセルを穿孔して、外部空気流を前記カプセルの中身と混合させるように適応された、対向する２つの穿孔手段とを備え、前記ノーズピースが前記吸入器本体に対して可動であり、少なくとも２つの動作状態、すなわち前記カプセル用の凹所に接近して、その中に新しいカプセルを係合することのできる開いた状態、および前記吸入器ノーズピースをスナップ固着することのできる閉じた使用状態、を提供する吸入装置であって、
前記２つの穿孔手段のそれぞれが唯１つの穿孔針を有しており、この穿孔針が、この穿孔針を取り囲む唯１つのコイルばねの付勢力に対抗して横方向に滑動することができると共に、前記吸入器本体と一体に結合されたそれぞれの当接要素と対応して作動する中空押しボタン要素との間で作動するように設計されていて、
前記押しボタン要素のそれぞれが、前記吸入器本体の底部中空部分に滑動可能に配置されると共に、手動操作のために前記底部中空部分から部分的に突出しており、各穿孔針が皮下注射針のそれに類似した外形を有して傾斜した先端を備えることを特徴とする吸入装置。」
　
４．引用例
　
　原査定の拒絶の理由に引用した引用例及びその記載事項は、上記「２．（３）ア」に記載したとおりである。
　
５．対比・判断
　
　本願発明は、本願補正発明の特定事項のうちの「ノーズピース」及び「吸入器本体」からなる構造について、「前記ノーズピースのフランジにはフック部分が設けられ、前記吸入器本体に形成された係止座内部に形成された対応する突条を有するスナップ固着手段と前記フック部によって、前記吸入器ノーズピースをその閉鎖位置に固着でき前記吸入器ノーズピースの前記フランジが、前記吸入器本体に形成された穴に係合することのできるペグを含み、前記穴が前記ペグの横歯を通すことのできる長手方向のスロットを備え、かつ前記穴が前記歯をその中で滑動させることのできる底部環状凹所を備え、それによって前記ペグが前記穴内で回転することができ、前記ノーズピースが前記吸入器本体に対して回転することができる」との限定を省略したものである。
  そうすると、本願発明の発明特定事項をすべて含み、さらに、他の発明特定事項を付加したものに相当する本願補正発明が、上記「２．（３）ウ」で述べたように、引用発明及び上記周知技術に基いて当業者が容易に発明をすることができたものであるから、本願発明も、同様に、引用発明及び上記周知技術に基いて当業者が容易に発明をすることができたものである。
　
６．むすび
　
　したがって、本願発明は、引用発明及び上記周知技術に基いて当業者が容易に発明をすることができたものであるから、特許法第２９条第２項の規定により特許を受けることができない。
　
　よって、結論のとおり審決する。